(57)【要約】【課題】前処理部に設けられる駆動スプロケットのキー交換を容易かつ迅速に行えるようにする。【解決手段】前処理部２の伝動軸２５に外嵌される駆動スプロケット２４を、過負荷作用時に破断するキー２３を介して伝動軸２５に連結すると共に、該伝動軸２５を伝動下流側に延長して他の駆動体にも動力を伝動し、さらに、伝動軸２５の露出部分を、茎稈の巻付を防止する伝動軸カバー２６で覆うコンバイン１において、駆動スプロケット２４と隣接する伝動軸カバー２６を複数の分割カバーで構成すると共に、駆動スプロケット２４と隣接する分割カバーを、駆動スプロケット２４と隣接する位置から退避可能な可動カバー２６ａとする。【選択図】図４
2008228672.tif 000002
【特許請求の範囲】
【請求項１】
前処理部の伝動軸に外嵌される駆動スプロケットを、過負荷作用時に破断するキーを介して伝動軸に連結すると共に、該伝動軸を伝動下流側に延長して他の駆動体にも動力を伝動し、さらに、伝動軸の露出部分を、茎稈の巻付を防止する伝動軸カバーで覆うコンバインにおいて、
前記駆動スプロケットと隣接する伝動軸カバーを複数の分割カバーで構成すると共に、駆動スプロケットと隣接する分割カバーを、駆動スプロケットと隣接する位置から退避可能な可動カバーとしたことを特徴とするコンバイン。
【請求項２】
前記駆動スプロケットは、茎稈の株元部を挟持搬送する株元搬送部の駆動スプロケットであることを特徴とする請求項１記載のコンバイン。
【発明の詳細な説明】
【技術分野】
【０００１】
本発明は、茎稈の刈り取りや脱穀、脱穀した穀粒の選別などを行うコンバインに関する。
【背景技術】
【０００２】
茎稈の刈り取りや脱穀、脱穀した穀粒の選別などを行うコンバインが知られている（例えば、特許文献１参照）。通常、このようなコンバインの前処理部では、過負荷が作用する異常状態の発生を予め想定し、異常状態の発生による被害を最小限にとどめるためのフェイルセーフ構造が採用されている。例えば、過負荷が発生し易い株元搬送部では、株元搬送体を駆動させる駆動スプロケットと、この駆動スプロケットに動力を伝動する伝動軸との間に、過負荷作用時に破断するキーを介在させ、過負荷作用時に駆動スプロケットの回転駆動を停止させるようになっている。
【特許文献１】特開２００７−３５号公報
【発明の開示】
【発明が解決しようとする課題】
【０００３】
ところで、過負荷でキーが破断した場合は、キーを交換しなければ刈り取り作業を再開できないため、キーの交換作業は、容易かつ迅速に行い得ることが望ましい。しかしながら、キーを介して駆動スプロケットが連結された伝動軸を、伝動下流側に延長して他の駆動体（例えば、穂先かき込み部）にも動力を伝動すると共に、伝動軸の露出部分を、茎稈の巻付を防止する伝動軸カバーで覆うようにしたものでは、駆動スプロケットのキー交換に際し、伝動軸カバーが邪魔になって駆動スプロケットを退避操作（スライド操作）できないため、他の駆動体や伝動軸カバーを順番に外す必要がある。そのため、キー交換の作業性に劣るだけでなく、キー交換作業に時間がかかり、刈り取り作業を速やかに再開できないという問題がある。
【課題を解決するための手段】
【０００４】
本発明は、上記の如き実情に鑑みこれらの課題を解決することを目的として創作されたものであって、前処理部の伝動軸に外嵌される駆動スプロケットを、過負荷作用時に破断するキーを介して伝動軸に連結すると共に、該伝動軸を伝動下流側に延長して他の駆動体にも動力を伝動し、さらに、伝動軸の露出部分を、茎稈の巻付を防止する伝動軸カバーで覆うコンバインにおいて、前記駆動スプロケットと隣接する伝動軸カバーを複数の分割カバーで構成すると共に、駆動スプロケットと隣接する分割カバーを、駆動スプロケットと隣接する位置から退避可能な可動カバーとしたことを特徴とする。このようにすると、他の駆動体や伝動軸カバーを外すことなく、伝動軸カバーの可動カバー部分を退避操作するだけで、駆動スプロケットの隣接部に、駆動スプロケットの退避空間を確保し、キー交換を容易かつ迅速に行うことが可能になる。
また、前記駆動スプロケットは、茎稈の株元部を挟持搬送する株元搬送部の駆動スプロケットであることを特徴とする。このようにすると、過負荷が発生し易い株元搬送部のキー交換を容易にすることができる。
【発明を実施するための最良の形態】
【０００５】
次に、本発明の実施形態について、図面に基づいて説明する。図１において、１はコンバインであって、該コンバイン１は、茎稈を刈り取る前処理部２と、刈り取った茎稈から穀粒を脱穀して選別する脱穀部３と、選別した穀粒を貯留する穀粒タンク４と、脱穀済みの排稈を後処理する後処理部５と、オペレータが乗り込む操作部６と、クローラ式の走行部７とを備えて構成されている。
【０００６】
図２に示すように、前処理部２は、茎稈を分草するデバイダ８と、茎稈を引起す引起し装置９と、茎稈の株元を切断する刈刃１０と、茎稈の株元側をかき込むスターホイール１１及びかき込み搬送部１２と、茎稈の穂先側をかき込む上穂先かき込み部１３及び下穂先かき込み部１４と、茎稈の株元を挟持搬送する株元搬送部１５と、茎稈の穂先側を搬送する穂先搬送部１６と、扱深さセンサ１７による穂先検出に応じて扱深さ調節を行いながら、茎稈の株元を挟持搬送する扱深さ搬送部１８とを備えて構成されている。
【０００７】
図２及び図３に示すように、前処理部２には、縦伝動筒１９、左横伝動筒２０、右横伝動筒２１、左伝動筒２２などの伝動筒が設けられ、これらの伝動筒に内装される伝動軸（図示せず）やベベルギヤ（図示せず）を介して、前処理部２の各部に動力が伝動される。前処理部２では、過負荷が作用する異常状態の発生を予め想定し、異常状態の発生による被害を最小限にとどめるためのフェイルセーフ構造が採用されている。具体的には、伝動軸と駆動スプロケットの連結部、伝動軸とギヤの連結部、伝動軸同士の連結部などに、過負荷作用時に破断するキーを介在させている。
【０００８】
過負荷でキーが破断した場合は、キーの交換作業が要求されるが、従来、キー２３を介して駆動スプロケット２４（例えば、株元搬送部１５）が連結された伝動軸２５を、伝動下流側に延長して他の駆動体（例えば、上穂先かき込み部１３及び下穂先かき込み部１４）にも動力を伝動すると共に、伝動軸２５の露出部分を、茎稈の巻付を防止する伝動軸カバー２６で覆うようにしたものでは、駆動スプロケット２４のキー交換に際し、伝動軸カバー２６が邪魔になって駆動スプロケット２４を退避操作（スライド操作）できないため、他の駆動体や伝動軸カバー２６を順番に外す必要があった。
【０００９】
一方、本発明に係るコンバイン１では、前処理部２の伝動軸２５に外嵌される駆動スプロケット２４を、過負荷作用時に破断するキー２３を介して伝動軸２５に連結すると共に、該伝動軸２５を伝動下流側に延長して他の駆動体にも動力を伝動し、さらに、伝動軸２５の露出部分を、茎稈の巻付を防止する伝動軸カバー２６で覆うにあたり、駆動スプロケット２４と隣接する伝動軸カバー２６を複数の分割カバーで構成すると共に、駆動スプロケット２４と隣接する分割カバーを、駆動スプロケット２４と隣接する位置から退避可能な可動カバー２６ａとしている。このようにすると、他の駆動体や伝動軸カバー２６を外すことなく、伝動軸カバー２６の可動カバー２６ａ部分を退避操作するだけで、駆動スプロケット２４の隣接部に、駆動スプロケット２４の退避空間を確保し、キー交換を容易かつ迅速に行うことが可能になる。
【００１０】
次に、本発明のキー交換構造を株元搬送部１５の駆動スプロケット２４に適用した場合の実施形態について、図３〜図５を参照して説明する。これらの図に示すように、株元搬送部１５は、左右一対で構成されており、各株元搬送部１５の駆動スプロケット２４に動力を伝動する伝動軸２５は、左伝動筒２２に設けられる動力取出ケース２７や、縦伝動筒１９に設けられる動力取出ケース２８から上方に突出している。そして、上方から伝動軸２５にスライド状に外嵌された駆動スプロケット２４は、キー２３を介して伝動軸２５と連結されると共に、その後に伝動軸２５に装着されるＣピン２９で上方への移動が規制されるようになっている。
【００１１】
伝動軸２５の上端部は、継手３０を介して延長軸３１が接続されている。この延長軸３１には、上穂先かき込み部１３及び下穂先かき込み部１４が連結されており、伝動軸２５の動力が上穂先かき込み部１３や下穂先かき込み部１４にも伝動されるようになっている。
【００１２】
伝動軸２５及び延長軸３１の露出部分、つまり、駆動スプロケット２４の上端から下穂先かき込み部１４の下端に至る範囲は、茎稈の巻付を防止する伝動軸カバー２６で覆われている。ここで、本発明に係る伝動軸カバー２６は、複数の分割カバーで構成されており、下穂先かき込み部１４と隣接する上側の分割カバーは、下穂先かき込み部１４側に固定された固定カバー２６ｂ（本実施形態では軸受ケース及び継手ケースに兼用）とする一方、駆動スプロケット２４と隣接する下側の分割カバーは、駆動スプロケット２４と隣接する位置から退避可能な可動カバー２６ａとしている。この可動カバー２６ａは、通常時、ボルト３２を介して固定カバー２６ｂに固定されているが、キー交換時には、ボルト３２を外すことにより可動状態となり、駆動スプロケット２４と隣接する位置から退避させることが可能になる。
【００１３】
次に、キー交換手順について、図６〜図１０を参照して説明する。まず、可動カバー２６ａを固定カバー２６ｂに固定しているボルト３２を外し（図６参照）、可動カバー２６ａを持ち上げる（図７参照）。可動カバー２６ａを持ち上げた状態でＣピン２９を外し（図８参照）、駆動スプロケット２４を持ち上げる（図９参照）。これにより、破断したキー２３が露出し、新しいキー２３との交換が可能になる（図１０参照）。そして、キー２３を交換した後は、上記と逆の手順を実行し、通常時の状態に戻す（図５参照）。
【００１４】
叙述の如く構成された本実施形態によれば、前処理部２の伝動軸２５に外嵌される駆動スプロケット２４を、過負荷作用時に破断するキー２３を介して伝動軸２５に連結すると共に、該伝動軸２５を伝動下流側に延長して他の駆動体にも動力を伝動し、さらに、伝動軸２５の露出部分を、茎稈の巻付を防止する伝動軸カバー２６で覆うコンバイン１において、駆動スプロケット２４と隣接する伝動軸カバー２６を複数の分割カバーで構成すると共に、駆動スプロケット２４と隣接する分割カバーを、駆動スプロケット２４と隣接する位置から退避可能な可動カバー２６ａとしたので、他の駆動体や伝動軸カバー２６を外すことなく、伝動軸カバー２６の可動カバー２６ａ部分を退避操作するだけで、駆動スプロケット２４の隣接部に、駆動スプロケット２４の退避空間を確保し、キー交換を容易かつ迅速に行うことが可能になる。
【００１５】
また、本発明のキー交換構造が適用された本実施形態の駆動スプロケット２４は、茎稈の株元部を挟持搬送する株元搬送部１５の駆動スプロケット２４であるため、過負荷が発生し易い株元搬送部１５のキー交換を容易にすることができる。
【図面の簡単な説明】
【００１６】
【図１】コンバインの全体構成を示す左側面図である。
【図２】前処理部の内部構成を示す左側面図である。
【図３】前処理部の要部斜視図である。
【図４】本発明のキー交換構造を示す要部断面図である。
【図５】本発明のキー交換構造を示す要部斜視図である。
【図６】キー交換手順１を示す要部斜視図である。
【図７】キー交換手順２を示す要部斜視図である。
【図８】キー交換手順３を示す要部斜視図である。
【図９】キー交換手順４を示す要部斜視図である。
【図１０】キー交換手順５を示す要部斜視図である。
【符号の説明】
【００１７】
１      コンバイン
２      前処理部
１３    上穂先かき込み部
１４    下穂先かき込み部
１５    株元搬送部
２３    キー
２４    駆動スプロケット
２５    伝動軸
２６    伝動軸カバー
２６ａ  可動カバー
２６ｂ  固定カバー
２９    Ｃピン
３０    継手
３１    延長軸
３２    ボルト
【図１】
2008228672.tif 000003
【図２】
2008228672.tif 000004
【図３】
2008228672.tif 000005
【図４】
2008228672.tif 000006
【図５】
2008228672.tif 000007
【図６】
2008228672.tif 000008
【図７】
2008228672.tif 000009
【図８】
2008228672.tif 000010
【図９】
2008228672.tif 000011
【図１０】
2008228672.tif 000012